(57)【要約】【課題】カードを利用することによって発行されるポイントを利用したカードの利用促進を図ること。【解決手段】カード利用促進装置１３０は、グループデータベースを参照して、指定期間内におこなわれたカード決済にかかる決済情報に含まれるカード情報に一致するカード情報に関連付けられたグループの識別情報を特定し、特定したグループの識別情報に決済情報に含まれる決済金額に応じて算出されるポイントを関連付けて記憶する。そして、指定期間が経過した場合、カード利用促進装置１３０は、複数のグループのうち関連付けられたポイントの合計がもっとも多いグループの識別情報を特定し、特定したグループの識別情報に関連付けられたカード情報を抽出する。【選択図】図７
2014137649.tif 000002
【特許請求の範囲】
【請求項１】
指定期間内におこなわれたカード決済にかかる決済金額に関する情報および当該カード決済に用いたカードのカード情報を含む決済情報を取得する取得手段と、
前記指定期間内におこなわれたカード決済にかかるポイント数を競い合う複数のグループのうちポイントの加算対象とするグループの識別情報と前記カード情報とを関連付けて記憶するグループデータベースを参照して、前記取得手段が取得した決済情報に含まれるカード情報に一致するカード情報に関連付けられたグループの識別情報を特定する対象グループ特定手段と、
前記取得手段が取得した決済情報に含まれる決済金額に応じて算出されるポイントを、前記対象グループ特定手段が特定したグループの識別情報に関連付けて記憶部に記憶する記憶制御手段と、
前記指定期間が経過した場合、前記複数のグループのうち前記記憶制御手段が関連付けたポイントの合計がもっとも多いグループの識別情報を特定するグループ特定手段と、
前記グループデータベースを参照して、前記グループ特定手段が特定したグループの識別情報に関連付けられたカード情報を抽出する抽出手段と、
を備えたことを特徴とするカード利用促進装置。
【請求項２】
前記指定期間内におこなわれたカード決済にかかるポイントの加算対象とするグループが、ポイント数を競い合う複数のグループのうちの一つのグループである場合、前記指定期間が経過する前の任意の時点において、前記グループの識別情報に前記記憶制御手段が関連付けたポイントの合計に基づいて、前記複数のグループにおける各グループの順位を特定する順位特定手段と、
前記カード情報と当該カード情報によって識別される利用者の端末装置に設定された電子メールアドレスとを関連付けて記憶する利用者データベースと前記グループデータベースとを参照して、前記グループの識別情報に関連付けられたカード情報によって識別される利用者の端末装置に対して、前記順位特定手段が特定した各グループの順位を通知する通知情報を送信する送信手段と、
を備えたことを特徴とする請求項１に記載のカード利用促進装置。
【請求項３】
指定期間内におこなわれたカード決済にかかる決済金額に関する情報および当該カード決済に用いたカードのカード情報を含む決済情報を取得する取得手段と、
前記指定期間内におこなわれたカード決済にかかるポイントの加算対象とするグループの識別情報と前記カード情報とを関連付けて記憶するグループデータベースを参照して、前記取得手段が取得した決済情報に含まれるカード情報に一致するカード情報に関連付けられたグループの識別情報を特定する対象グループ特定手段と、
前記取得手段が取得した決済情報に含まれる決済金額に応じて算出されるポイントを、前記対象グループ特定手段が特定したグループの識別情報に関連付けて記憶部に記憶する記憶制御手段と、
前記指定期間が経過したグループの識別情報を特定するグループ特定手段と、
前記グループデータベースを参照して、前記グループ特定手段が特定したグループの識別情報に関連付けられたカード情報を抽出する抽出手段と、
を備えたことを特徴とするカード利用促進装置。
【請求項４】
前記グループデータベースは、前記指定期間内に特定の場所においておこなわれたカード決済にかかるポイントの加算対象とするグループの識別情報と前記カード情報とを関連付けて記憶し、
前記取得手段が取得した決済情報が、前記特定の場所においておこなわれたカード決済にかかる決済情報であるか否かを判断する決済場所判断手段を備え、
前記記憶制御手段は、前記決済場所判断手段が特定の場所においておこなわれたカード決済にかかる決済情報であると判断した場合に、該当するポイントを該当するグループの識別情報に関連付けて前記記憶部に記憶することを特徴とする請求項１〜３のいずれか一つに記載のカード利用促進装置。
【請求項５】
前記送信手段は、前記指定期間が経過した場合、前記グループ特定手段が特定したグループの識別情報に関連付けられたカード情報によって識別される利用者の端末装置に対して特典の提供を通知する通知情報を送信することを特徴とする請求項１〜４のいずれか一つに記載のカード利用促進装置。
【請求項６】
指定期間内におこなわれたカード決済にかかる決済金額に関する情報および当該カード決済に用いたカードのカード情報を含む決済情報を取得する取得工程と、
前記指定期間内におこなわれたカード決済にかかるポイント数を競い合う複数のグループのうちポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、
前記取得工程において取得した決済情報に含まれる決済金額に応じて算出されるポイントを、前記対象グループ特定工程において特定したグループの識別情報に関連付けて記憶部に記憶させる記憶制御工程と、
前記指定期間が経過した場合、前記複数のグループのうち前記記憶部において関連付けられているポイントの合計がもっとも多いグループの識別情報を特定するグループ特定工程と、
前記グループデータベースを参照して、前記グループ特定工程において特定したグループの識別情報に関連付けられたカード情報を抽出する抽出工程と、
を含んだことを特徴とするカード利用促進方法。
【請求項７】
指定期間内におこなわれたカード決済にかかる決済金額に関する情報および当該カード決済に用いたカードのカード情報を含む決済情報を取得する取得工程と、
前記指定期間内におこなわれたカード決済にかかるポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、
前記取得工程において取得した決済情報に含まれる決済金額に応じて算出されるポイントを、前記対象グループ特定工程において特定したグループの識別情報に関連付けて記憶部に記憶する記憶制御工程と、
前記指定期間が経過したグループの識別情報を特定するグループ特定工程と、
前記グループデータベースを参照して、前記グループ特定工程において特定したグループの識別情報に関連付けられたカード情報を抽出する抽出工程と、
を含んだことを特徴とするカード利用促進方法。
【請求項８】
コンピュータに、
指定期間内におこなわれたカード決済にかかる決済金額に関する情報および当該カード決済に用いたカードのカード情報を含む決済情報を取得する取得工程と、
前記指定期間内におこなわれたカード決済にかかるポイント数を競い合う複数のグループのうちポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、
前記取得工程において取得した決済情報に含まれる決済金額に応じて算出されるポイントを、前記対象グループ特定工程において特定したグループの識別情報に関連付けて記憶部に記憶させる記憶制御工程と、
前記指定期間が経過した場合、前記複数のグループのうち前記記憶部において関連付けられているポイントの合計がもっとも多いグループの識別情報を特定するグループ特定工程と、
前記グループデータベースを参照して、前記グループ特定工程において特定したグループの識別情報に関連付けられたカード情報を抽出する抽出工程と、
を実行させることを特徴とするカード利用促進プログラム。
【請求項９】
コンピュータに、
指定期間内におこなわれたカード決済にかかる決済金額に関する情報および当該カード決済に用いたカードのカード情報を含む決済情報を取得する取得工程と、
前記指定期間内におこなわれたカード決済にかかるポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、
前記取得工程において取得した決済情報に含まれる決済金額に応じて算出されるポイントを、前記対象グループ特定工程において特定したグループの識別情報に関連付けて記憶部に記憶する記憶制御工程と、
前記指定期間が経過したグループの識別情報を特定するグループ特定工程と、
前記グループデータベースを参照して、前記グループ特定工程において特定したグループの識別情報に関連付けられたカード情報を抽出する抽出工程と、
を実行させることを特徴とするカード利用促進プログラム。
【発明の詳細な説明】
【技術分野】
【０００１】
この発明は、クレジットカードなどのカードの利用促進を支援するカード利用促進装置、カード利用促進方法およびカード利用促進プログラムに関する。
【背景技術】
【０００２】
従来、クレジットカードなどのカードを用いた決済（以下「カード決済」という）に際して、当該カード決済にかかる決済金額に応じたポイントを、当該カード決済をおこなった利用者に対して発行するポイントシステムに関する技術があった。このようなポイントシステムにおいては、利用者のポイント数に応じて、ポイントシステムの管理者などが提供する商品やサービスなどの特典が受けられるようにした技術があった。
【０００３】
また、具体的には、従来、たとえば、利用者が複数種類のカードを保有している場合は、利用者のカードの種類や各カードのポイントおよびポイントにて取得可能な特典情報に基づいて、各カードの種類やポイントを統括的に判断して、すなわち複数種類のカードの合計ポイントに応じて特典が受けられるようにした技術があった（たとえば、下記特許文献１を参照。）。
【先行技術文献】
【特許文献】
【０００４】
【特許文献１】特許第４２４５８３３号
【発明の概要】
【発明が解決しようとする課題】
【０００５】
しかしながら、上述した従来の技術におけるポイントシステムは、所定数貯めた場合に特典と交換できることを前提としたポイントをカードの利用に応じて発行し、これによってカードの利用を促進することを目的としており、ポイントはあくまでカード決済に付随するものであり、ポイントを貯める行為自体を促すものではない。このため、上述した従来の技術は、カードを利用することによって発行されるポイントを利用したカードの利用促進を十分に図ることができないという問題があった。
【０００６】
また、上述した従来の技術におけるポイントシステムは、所望の特典を得ることを目的としてポイントを貯める場合も、ポイントはあくまでカード決済に付随するものであり、ポイントを貯める行為自体を促すものではない。このため、上述した従来の技術は、カードを利用することによって発行されるポイントを利用したカードの利用促進を十分に図ることができないという問題があった。
【０００７】
この発明は、上述した従来技術による問題点を解消するため、カードを利用することによって発行されるポイントを利用したカードの利用促進を図ることができるカード利用促進装置、カード利用促進方法およびカード利用促進プログラムを提供することを目的とする。
【課題を解決するための手段】
【０００８】
上述した課題を解決し、目的を達成するため、この発明にかかるカード利用促進装置は、指定期間内におこなわれたカード決済にかかる決済金額に関する情報および当該カード決済に用いたカードのカード情報を含む決済情報を取得する取得手段と、前記指定期間内におこなわれたカード決済にかかるポイント数を競い合う複数のグループのうちポイントの加算対象とするグループの識別情報と前記カード情報とを関連付けて記憶するグループデータベースを参照して、前記取得手段が取得した決済情報に含まれるカード情報に一致するカード情報に関連付けられたグループの識別情報を特定する対象グループ特定手段と、前記取得手段が取得した決済情報に含まれる決済金額に応じて算出されるポイントを、前記対象グループ特定手段が特定したグループの識別情報に関連付けて記憶部に記憶する記憶制御手段と、前記指定期間が経過した場合、前記複数のグループのうち前記記憶制御手段が関連付けたポイントの合計がもっとも多いグループの識別情報を特定するグループ特定手段と、前記グループデータベースを参照して、前記グループ特定手段が特定したグループの識別情報に関連付けられたカード情報を抽出する抽出手段と、を備えたことを特徴とする。
【０００９】
また、この発明にかかるカード利用促進装置は、上記の発明において、前記指定期間内におこなわれたカード決済にかかるポイントの加算対象とするグループが、ポイント数を競い合う複数のグループのうちの一つのグループである場合、前記指定期間が経過する前の任意の時点において、前記グループの識別情報に前記記憶制御手段が関連付けたポイントの合計に基づいて、前記複数のグループにおける各グループの順位を特定する順位特定手段と、前記カード情報と当該カード情報によって識別される利用者の端末装置に設定された電子メールアドレスとを関連付けて記憶する利用者データベースと前記グループデータベースとを参照して、前記グループの識別情報に関連付けられたカード情報によって識別される利用者の端末装置に対して、前記順位特定手段が特定した各グループの順位を通知する通知情報を送信する送信手段と、を備えたことを特徴とする。
【００１０】
また、この発明にかかるカード利用促進装置は、指定期間内におこなわれたカード決済にかかる決済金額に関する情報および当該カード決済に用いたカードのカード情報を含む決済情報を取得する取得手段と、前記指定期間内におこなわれたカード決済にかかるポイントの加算対象とするグループの識別情報と前記カード情報とを関連付けて記憶するグループデータベースを参照して、前記取得手段が取得した決済情報に含まれるカード情報に一致するカード情報に関連付けられたグループの識別情報を特定する対象グループ特定手段と、前記取得手段が取得した決済情報に含まれる決済金額に応じて算出されるポイントを、前記対象グループ特定手段が特定したグループの識別情報に関連付けて記憶部に記憶する記憶制御手段と、前記指定期間が経過したグループの識別情報を特定するグループ特定手段と、前記グループデータベースを参照して、前記グループ特定手段が特定したグループの識別情報に関連付けられたカード情報を抽出する抽出手段と、を備えたことを特徴とする。
【００１１】
また、この発明にかかるカード利用促進装置は、上記の発明において、前記グループデータベースが、前記指定期間内に特定の場所においておこなわれたカード決済にかかるポイントの加算対象とするグループの識別情報と前記カード情報とを関連付けて記憶し、前記取得手段が取得した決済情報が、前記特定の場所においておこなわれたカード決済にかかる決済情報であるか否かを判断する決済場所判断手段を備え、前記記憶制御手段が、前記決済場所判断手段が特定の場所においておこなわれたカード決済にかかる決済情報であると判断した場合に、該当するポイントを該当するグループの識別情報に関連付けて前記記憶部に記憶することを特徴とする。
【００１２】
また、この発明にかかるカード利用促進装置は、上記の発明において、前記送信手段が、前記指定期間が経過した場合、前記グループ特定手段が特定したグループの識別情報に関連付けられたカード情報によって識別される利用者の端末装置に対して特典の提供を通知する通知情報を送信することを特徴とする。
【００１３】
また、この発明にかかるカード利用促進方法は、指定期間内におこなわれたカード決済にかかる決済金額に関する情報および当該カード決済に用いたカードのカード情報を含む決済情報を取得する取得工程と、前記指定期間内におこなわれたカード決済にかかるポイント数を競い合う複数のグループのうちポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、前記取得工程において取得した決済情報に含まれる決済金額に応じて算出されるポイントを、前記対象グループ特定工程において特定したグループの識別情報に関連付けて記憶部に記憶させる記憶制御工程と、前記指定期間が経過した場合、前記複数のグループのうち前記記憶部において関連付けられているポイントの合計がもっとも多いグループの識別情報を特定するグループ特定工程と、前記グループデータベースを参照して、前記グループ特定工程において特定したグループの識別情報に関連付けられたカード情報を抽出する抽出工程と、を含んだことを特徴とする。
【００１４】
また、この発明にかかるカード利用促進方法は、指定期間内におこなわれたカード決済にかかる決済金額に関する情報および当該カード決済に用いたカードのカード情報を含む決済情報を取得する取得工程と、前記指定期間内におこなわれたカード決済にかかるポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、前記取得工程において取得した決済情報に含まれる決済金額に応じて算出されるポイントを、前記対象グループ特定工程において特定したグループの識別情報に関連付けて記憶部に記憶する記憶制御工程と、前記指定期間が経過したグループの識別情報を特定するグループ特定工程と、前記グループデータベースを参照して、前記グループ特定工程において特定したグループの識別情報に関連付けられたカード情報を抽出する抽出工程と、を含んだことを特徴とする。
【００１５】
また、この発明にかかるカード利用促進プログラムは、コンピュータに、指定期間内におこなわれたカード決済にかかる決済金額に関する情報および当該カード決済に用いたカードのカード情報を含む決済情報を取得する取得工程と、前記指定期間内におこなわれたカード決済にかかるポイント数を競い合う複数のグループのうちポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、前記取得工程において取得した決済情報に含まれる決済金額に応じて算出されるポイントを、前記対象グループ特定工程において特定したグループの識別情報に関連付けて記憶部に記憶させる記憶制御工程と、前記指定期間が経過した場合、前記複数のグループのうち前記記憶部において関連付けられているポイントの合計がもっとも多いグループの識別情報を特定するグループ特定工程と、前記グループデータベースを参照して、前記グループ特定工程において特定したグループの識別情報に関連付けられたカード情報を抽出する抽出工程と、を実行させることを特徴とする。
【００１６】
また、この発明にかかるカード利用促進プログラムは、コンピュータに、指定期間内におこなわれたカード決済にかかる決済金額に関する情報および当該カード決済に用いたカードのカード情報を含む決済情報を取得する取得工程と、前記指定期間内におこなわれたカード決済にかかるポイントの加算対象とするグループの識別情報と前記カード情報とを関連付けて記憶するグループデータベースを参照して、前記取得工程において取得した決済情報に含まれるカード情報に一致するカード情報に関連付けられたグループの識別情報を特定する対象グループ特定工程と、前記取得工程において取得した決済情報に含まれる決済金額に応じて算出されるポイントを、前記対象グループ特定工程において特定したグループの識別情報に関連付けて記憶部に記憶する記憶制御工程と、前記指定期間が経過したグループの識別情報を特定するグループ特定工程と、前記グループデータベースを参照して、前記グループ特定工程において特定したグループの識別情報に関連付けられたカード情報を抽出する抽出工程と、を実行させることを特徴とする。
【発明の効果】
【００１７】
この発明にかかるカード利用促進装置、カード利用促進方法およびカード利用促進プログラムによれば、カードの利用促進を図ることができるという効果を奏する。
【図面の簡単な説明】
【００１８】
【図１】この発明にかかる実施の形態のカード利用促進装置を備えたカード利用促進システムのシステム構成を示す説明図である。
【図２−１】店舗の端末装置のハードウエア構成を示すブロック図（その１）である。
【図２−２】店舗の端末装置のハードウエア構成を示すブロック図（その２）である。
【図３−１】この発明にかかる実施の形態のカード利用促進システムを構成する利用者の端末装置を実現するコンピュータ装置のハードウエア構成を示すブロック図である。
【図３−２】この発明にかかる実施の形態のカード利用促進システムを構成する利用者の端末装置を実現する携帯型電話機のハードウエア構成を示すブロック図である。
【図４】この発明にかかる実施の形態のカード利用促進システムにおける、カード利用促進装置を実現するコンピュータ装置のハードウエア構成を示すブロック図である。
【図５】この発明にかかる実施の形態のカード利用促進装置が備えるグループデータベースの一例を示す説明図である。
【図６】この発明にかかる実施の形態のカード利用促進装置が備える利用者データベースの一例を示す説明図である。
【図７】この発明にかかる実施の形態のカード利用促進装置の機能的構成を示すブロック図である。
【図８】この発明にかかる実施の形態のカード利用促進装置の処理手順を示すフローチャート（その１）である。
【図９】この発明にかかる実施の形態のカード利用促進装置の処理手順を示すフローチャート（その２）である。
【図１０】この発明にかかる実施の形態のカード利用促進装置の処理手順を示すフローチャート（その３）である。
【図１１】この発明にかかる実施の形態のカード利用促進装置の処理手順を示すフローチャート（その４）である。
【図１２】利用者の端末装置における表示画面例を示す説明図（その１）である。
【図１３】利用者の端末装置における表示画面例を示す説明図（その２）である。
【発明を実施するための形態】
【００１９】
以下に添付図面を参照して、この発明にかかるカード利用促進装置、カード利用促進方法およびカード利用促進プログラムの好適な実施の形態を詳細に説明する。
【００２０】
まず、この発明にかかる実施の形態のカード利用促進装置を備えたカード利用促進システムのシステム構成について説明する。図１は、この発明にかかる実施の形態のカード利用促進装置を備えたカード利用促進システムのシステム構成を示す説明図である。
【００２１】
図１において、この発明にかかる実施の形態のカード利用促進システム１００は、店舗の端末装置１１０と、利用者の端末装置１２０と、カード利用促進装置１３０と、によって構成されている。カード利用促進システム１００において、店舗の端末装置１１０および利用者の端末装置１２０は、それぞれ、インターネットなどのネットワーク１５０を介して、カード利用促進装置１３０と通信可能に接続されている。
【００２２】
店舗の端末装置１１０は、カード決済機能を備えた決済端末装置であって、ＣＡＦＩＳ（Ｃｒｅｄｉｔ  Ａｎｄ  Ｆｉｎａｎｃｅ  Ｉｎｆｏｒｍａｔｉｏｎ  Ｓｗｉｔｃｈｉｎｇ  Ｓｙｓｔｅｍ）やＩＮＦＯＸ−ＮＥＴなどの決済用のネットワークを介して、インターネットなどのネットワーク１５０に接続されている。店舗の端末装置１１０は、クレジットカードなどのカードを用いた決済（以下「カード決済」という）にかかる各種の処理をおこなうことができる。
【００２３】
店舗の端末装置１１０は、カード決済にかかる各種の処理の実行に際して、店舗の端末装置１１０とともにカード決済システムを構成する決済処理装置との間で通信をおこなう。店舗の端末装置１１０が実行するカード決済にかかる各種の処理およびカード決済システムの構成については、公知の技術であるため説明を省略する。
【００２４】
店舗の端末装置１１０を備える店舗は、あらかじめ、カード決済システムに加えて、カード利用促進システム１００に加盟している。各店舗には、カード利用促進システム１００への加盟時に、当該店舗を識別する店舗の識別情報が発行されている。店舗の識別情報は、たとえば、店舗ごとに固有の番号（店舗番号）などによって実現することができる。店舗の端末装置１１０は、カード決済に際して、決済処理装置やカード利用促進装置１３０に対して、カード決済にかかる決済金額、当該カード決済に用いられたカードのカード情報、店舗の識別情報（店舗番号など）を含む決済情報を送信する。これにより、店舗の端末装置１１０を用いてカード決済をおこなった店舗や当該カード決済の内容などを特定することができる。
【００２５】
カード情報は、カード決済に用いたカードを識別可能な情報であって、たとえば、クレジットカードによってカードを実現する場合、クレジットカード番号などカードに固有の情報によって実現することができる。クレジットカードのカード番号においては、最初の６桁の銀行識別番号（Ｂａｎｋ  Ｉｄｅｎｔｉｆｉｃａｔｉｏｎ  Ｎｕｍｂｅｒ：ＢＩＮ）によって、クレジットカード会社などのカードの発行事業者を特定することができる。クレジットカード番号は、ＢＩＮを含み、カードの発行事業者によって割り当てられた任意の数列によって構成され、カードごとに固有の情報とされている。
【００２６】
店舗の端末装置１１０は、具体的には、たとえばＣＡＴ（Ｃｒｅｄｉｔ  Ａｕｔｈｏｒｉｚａｔｉｏｎ  Ｔｅｒｍｉｎａｌ）端末などのカードの信用照会端末や、ＩＮＦＯＸ端末などの多機能決済端末などの決済端末装置によって実現することができる。決済端末装置は、電話回線の他、所定のネットワーク１５０を介してインターネットに接続されている。また、決済端末装置は、ＰＯＳ端末に接続され、あるいはＰＯＳ端末に一体に組み込まれ、ＰＯＳ端末を介してネットワーク１５０に接続されていてもよい。
【００２７】
利用者の端末装置１２０は、カードを利用する利用者による入力操作が可能な入力操作部を備えている。利用者の端末装置１２０は、たとえば、スマートフォンなどの携帯型電話機（可搬性のコンピュータ装置）に代えて、ディスプレイやキーボードなどを備えたパーソナルコンピュータなどのコンピュータ装置によって実現することができる（図３−１を参照）。利用者の端末装置１２０は、パーソナルコンピュータなどのコンピュータ装置によって実現されるものに限らない。利用者の端末装置１２０は、たとえば、スマートフォンなどの携帯型電話機（可搬性のコンピュータ装置）によって実現されるものであってもよい（図３−２を参照）。
【００２８】
カード利用促進装置１３０は、たとえば、パーソナルコンピュータなどのコンピュータ装置によって実現することができる（図４を参照）。カード利用促進装置１３０は、グループデータベース、利用者データベースなどの各種のデータベースを備えている。グループデータベース（図５を参照）、利用者データベース（図６を参照）については説明を後述する。
【００２９】
カード利用促進装置１３０は、店舗の端末装置１１０や利用者の端末装置１２０から送信された各種の情報や、カード利用促進装置１３０が備える各種のデータベースが記憶するデータに基づいて、各種の処理を実行する。カード利用促進装置１３０がおこなう処理については後述する。また、カード利用促進装置１３０は、店舗の端末装置１１０から送信された決済情報に基づいてカード決済処理をおこなう決済処理機能を備えている。
【００３０】
カード利用促進システム１００においては、カード決済機能はカード利用促進装置１３０が備えるものに限らない。カード利用促進システム１００は、カード利用促進装置１３０とは別体で、カード決済処理をおこなう決済処理装置を含んで構成されていてもよい。この場合、カード利用促進装置１３０は、たとえば、決済処理装置がカード決済処理をおこなうごとに、当該決済処理装置から送信されるカード決済処理の結果を受信する。カード決済処理の結果は、店舗の識別情報を含む。
【００３１】
（店舗の端末装置１１０のハードウエア構成）
つぎに、店舗の端末装置１１０のハードウエア構成について説明する。図２−１および図２−２は、店舗の端末装置１１０のハードウエア構成を示すブロック図である。図２−１においては、カード決済に特化した機能を備えた店舗の端末装置１１０のハードウエア構成を示している。図２−２においては、カード決済機能を備えたＰＯＳ端末によって実現される店舗の端末装置１１０のハードウエア構成を示している。
【００３２】
図２−１において、カード決済に特化した機能を備えた店舗の端末装置１１０は、ＣＰＵ２１１と、ＲＯＭ２１２と、ＲＡＭ２１３と、ディスプレイ２１４と、キーボード２１５と、ネットワークＩ／Ｆ（インターフェイス）２１６と、ブザー２１７と、カードリーダ２１８と、プリンタ２１９と、を備えている。また、店舗の端末装置１１０が備える各部２１１〜２１９は、バス２１０によってそれぞれ接続されている。
【００３３】
ＣＰＵ２１１は、店舗の端末装置１１０全体の制御をつかさどる。ＲＯＭ２１２は、カード決済に際して実行させる各種のプログラムなどを記憶している。ＲＡＭ２１３は、ＣＰＵ２１１のワークエリアとして使用される。ＣＰＵ２１１は、カード決済に際して、ネットワークＩ／Ｆ２１６を介して決済処理装置との間で通信をおこなう。
【００３４】
キーボード２１５は、カード決済をおこなう店舗の店員などによるカード決済にかかる各種の入力操作を受け付けたり、カードの所有者による暗証番号の入力操作を受け付けたりする。キーボード２１５は、入力された情報をＣＰＵ２１１に出力する。ディスプレイ２１４は、たとえば液晶パネルを備えた表示装置によって実現することができる。ディスプレイ２１４を実現する液晶パネルは、定型メッセージ、数字、記号などを表示することができる。また、ディスプレイ２１４を実現する液晶パネルは、７セグメント方式のディスプレイであってもよい。
【００３５】
ブザー２１７は、店舗の端末装置１１０においてエラーが発生した場合などに所定のブザー音声を出力する。ブザー２１７としては、たとえば圧電ブザー、電子ブザー、電磁ブザーなど公知の各種のブザーを用いることができる。カードリーダ２１８は、カードを用いた決済において、カードに記録されたデータを読み出す。カードは、ＩＣチップを備えたタイプであってもよいし、磁気テープを備えたタイプであってもよい。
【００３６】
プリンタ２１９は、伝票用紙に対して決済の内容などを印字する印字処理をおこなう。プリンタ２１９は、たとえば複写が可能な伝票用紙に対する印字が可能なインパクトドットプリンタなどを用いることができる。プリンタ２１９は、インパクトドットプリンタに限るものではなく、サーマルプリンタ、レーザプリンタ、インクジェットプリンタなど公知の各種の印字方式のプリンタによって実現することができる。プリンタ２１９は、伝票用紙を保持する用紙保持機構、伝票用紙に対して印字をおこなうプリンタヘッドなどを備えて構成されている。
【００３７】
図２−２において、カード決済機能を備えたＰＯＳ端末によって実現される店舗の端末装置１１０は、ＣＰＵ２２１と、ＲＯＭ２２２と、ＲＡＭ２２３と、ＨＤＤ（ハードディスクドライブ）２２４と、ＨＤ（ハードディスク）２２５と、ディスプレイ２２６と、タッチパネル２２７と、キーボード２２８と、バーコードスキャナ２２９と、プリンタ２３０と、ドロワ開放装置２３１と、ネットワークＩ／Ｆ２３２と、スピーカー２３３と、カードリーダ２３４と、を備えている。また、店舗の端末装置１１０が備える各部２２１〜２３４は、バス２２０によってそれぞれ接続されている。
【００３８】
ＣＰＵ２２１は、カード決済機能を備えたＰＯＳ端末によって実現される店舗の端末装置１１０全体の制御をつかさどる。ＲＯＭ２２２は、カード決済時、商品の売り上げ登録時あるいは売り上げの精算時などに実行させる各種のプログラムなどを記憶している。ＲＡＭ２２３は、ＣＰＵ２２１のワークエリアとして使用される。ＣＰＵ２２１は、たとえばカード決済に際して、ネットワークＩ／Ｆ２３２を介して決済処理装置との間で通信をおこなう。
【００３９】
カード決済機能を備えたＰＯＳ端末によって実現される店舗の端末装置１１０は、決済処理装置との間で直接通信をおこなうことができる。また、カード決済機能を備えたＰＯＳ端末によって実現される店舗の端末装置１１０は、店舗ごとあるいは加盟店グループごとに設けられたサーバコンピュータを介して、決済処理装置との間で通信をおこなってもよい。
【００４０】
ＨＤＤ２２４は、ＣＰＵ２２１の制御にしたがって、ＨＤ２２５に対するデータのリード／ライトを制御する。ＨＤＤ２２４は、ＨＤ２２５の制御によって書き込まれたデータを記憶する。具体的には、ＨＤ２２５は、たとえば商品マスタファイルや売り上げファイルなどを記憶している。カード決済機能を備えたＰＯＳ端末によって実現される店舗の端末装置１１０における商品マスタファイルや売り上げファイルについては公知であるため説明を省略する。
【００４１】
ディスプレイ２２６は、たとえば液晶パネルを備えた表示装置によって実現することができる。ディスプレイ２２６は、カーソル、アイコン、ツールボックスをはじめ、文書、画像、機能情報などのデータに関するウインドウ（ブラウザ）を表示する。カード決済機能を備えたＰＯＳ端末によって実現される店舗の端末装置１１０は、店員側に情報を表示するディスプレイ２２６と、顧客（カードの所有者）側に情報を表示するディスプレイ２２６とのように、１台あたり複数のディスプレイ２２６を備えていてもよい。
【００４２】
タッチパネル２２７は、ディスプレイ２２６に積層され、操作位置に応じた信号をＣＰＵ２２１に対して出力する。タッチパネル２２７は、たとえば抵抗膜方式や静電容量方式、音響パルス認識方式、超音波表面弾性波方式、赤外遮光方式、画像認識方式など公知の各種の方式のものを用いることができる。キーボード２２８は、文字、数値、各種指示などの入力のためのキーを備え、操作されたキーに応じた信号をＣＰＵ２２１に対して出力する。
【００４３】
バーコードスキャナ２２９は、商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。バーコードスキャナ２２９は、ＬＥＤなどの光源、光源からの光を走査させるポリゴンミラー、読み取り対象物からの反射光を受光するセンサ、センサが受光した光信号をデコードするデコード回路などを備えている。センサとしてＣＣＤイメージセンサを採用することにより、２次元コードを読み取ることが可能になる。デコード回路がデコードしたデータは、ＣＰＵ２２１に出力される。
【００４４】
プリンタ２３０は、ロール紙に対して決済の内容などを印字する印字処理をおこなう。サーマルプリンタ、レーザプリンタ、インクジェットプリンタなど公知の各種の印字方式のプリンタによって実現することができる。プリンタ２３０は、ロール紙を保持するロール紙保持機構、ロール紙に対して印字をおこなうプリンタヘッド、印字済みのロール紙を任意の長さでカットするカッタ機構などを備えて構成されている。
【００４５】
ドロワ開放装置２３１は、カード決済機能を備えたＰＯＳ端末によって実現される店舗の端末装置１１０に対して所定の操作がおこなわれた場合に、当該店舗の端末装置１１０に接続されたドロワ装置を開放する。ドロワ開放装置２３１は、具体的には、たとえばソレノイドなどによって実現することができ、キーボード２２８における「預／現計」キーの操作に応じてＣＰＵ２２１から出力された開放信号を受信した場合に動作してドロワ装置を解錠する。
【００４６】
スピーカー２３３は、商品をスキャンした場合の『ピッ』という音声やエラーなどの異常発生時の報知音を出力する。スピーカー２３３は、ボイスコイル（図示を省略する）を備えており、ＣＰＵ２２１から出力された音声信号にしたがった電気信号をボイスコイルに印加することによって音声を出力する。カードリーダ２３４は、カードを用いた決済において、カードに記録されたデータを読み出す。カードは、ＩＣチップを備えたタイプであってもよいし、磁気テープを備えたタイプであってもよい。
【００４７】
（利用者の端末装置１２０を実現するコンピュータ装置のハードウエア構成）
つぎに、この発明にかかる実施の形態のカード利用促進システム１００を構成する利用者の端末装置１２０を実現するコンピュータ装置のハードウエア構成について説明する。図３−１は、この発明にかかる実施の形態のカード利用促進システム１００を構成する利用者の端末装置１２０を実現するコンピュータ装置のハードウエア構成を示すブロック図である。
【００４８】
図３−１において、利用者の端末装置１２０を実現するコンピュータ装置は、ＣＰＵ３１１と、ＲＯＭ３１２と、ＲＡＭ３１３と、ＨＤＤ３１４と、ＨＤ３１５と、ディスプレイ３１６と、入力デバイス３１７と、ネットワークＩ／Ｆ３１８と、を備えている。利用者の端末装置１２０を実現するコンピュータ装置が備える各部３１１〜３１８は、バス３１０によってそれぞれ接続されている。
【００４９】
ＣＰＵ３１１は、利用者の端末装置１２０を実現するコンピュータ装置全体の制御をつかさどり、ＲＡＭ３１３をワークエリアとしながらＲＯＭ３１２に記憶された各種プログラムを実行する。ＨＤＤ３１４は、ＣＰＵ３１１の制御にしたがってＨＤ３１５に対するデータのリード／ライトを制御する。ＨＤ３１５は、ＨＤＤ３１４の制御で書き込まれたデータを記憶する。
【００５０】
ディスプレイ３１６は、各種の表示画面を表示する。具体的には、ディスプレイ３１６は、たとえば、買い物条件を指定する入力画面や、決済承認要求に対する承認情報を入力する入力画面などを表示する。ディスプレイ３１６は、具体的には、たとえばＴＦＴ液晶ディスプレイ、プラズマディスプレイ、有機ＥＬ（Ｅｌｅｃｔｒｏ−Ｌｕｍｉｎｅｓｃｅｎｃｅ）ディスプレイなど、公知の各種のディスプレイによって実現することができる。
【００５１】
入力デバイス３１７は、複数の入力キーを備えたキーボードによって実現することができる。キーボードは、数字を入力するテンキーを備えている。また、キーボードは、入力位置や操作位置を移動させるカーソルキーを備えていてもよい。入力デバイス３１７は、入力位置や操作位置を指定するマウスなどのポインティングデバイスを備えていてもよい。入力デバイス３１７は、当該入力デバイス３１７に対する入力操作に応じた信号を出力する。
【００５２】
ネットワークＩ／Ｆ３１８は、カード利用促進装置１３０を実現するコンピュータ装置との間での通信をおこなう。ネットワークＩ／Ｆ３１８は、カード利用促進装置１３０を実現するコンピュータ装置など、インターネットなどのネットワーク１５０を介して当該ネットワーク１５０に接続されたコンピュータ装置と利用者の端末装置１２０を実現するコンピュータ装置の内部とのインターフェイスをつかさどり、カード利用促進装置１３０を実現するコンピュータ装置との間におけるデータの入出力を制御する。
【００５３】
利用者の端末装置１２０を実現するコンピュータ装置は、ネットワークＩ／Ｆ３１８を介してポイント処理装置１４０を実現するコンピュータ装置との間で通信をおこなうことによって、たとえば、ディスプレイ３１６に表示した各種の入力画面を介して入力された各種の入力情報をポイント処理装置１４０を実現するコンピュータ装置に送信する。
【００５４】
（利用者の端末装置１２０を実現する携帯型電話機のハードウエア構成）
つぎに、この発明にかかる実施の形態のカード利用促進システム１００を構成する利用者の端末装置１２０を実現する携帯型電話機（可搬性のコンピュータ装置）のハードウエア構成について説明する。図３−２は、この発明にかかる実施の形態のカード利用促進システム１００を構成する利用者の端末装置１２０を実現する携帯型電話機のハードウエア構成を示すブロック図である。図３−２においては、利用者の端末装置１２０を実現する携帯型電話機として、スマートフォンのハードウエア構成を示している。
【００５５】
図３−２において、この発明にかかる実施の形態のカード利用促進システム１００を構成する利用者の端末装置１２０を実現するスマートフォンは、ＣＰＵ３２１と、ＲＯＭ３２２と、ＲＡＭ３２３と、ネットワークＩ／Ｆ３２４と、ディスプレイ３２５と、操作部３２６と、マイク３２７と、スピーカー３２８と、カメラ３２９と、を備えている。また、この発明にかかる実施の形態のカード利用促進システム１００を構成する利用者の端末装置１２０を実現するスマートフォンが備える各構成部３２１〜３２９は、バス３２０によってそれぞれ接続されている。
【００５６】
ＣＰＵ３２１は、スマートフォン全体の制御をつかさどる。ＲＯＭ３２２は、ブートプログラムなどのプログラムを記憶している。ＲＡＭ３２３は、ＣＰＵ３２１のワークエリアとして使用される。ネットワークＩ／Ｆ３２４は、インターネットなどのネットワーク１５０を介して、当該ネットワーク１５０に接続されたコンピュータ装置や別のスマートフォンとの間におけるデータの入出力を制御する。また、ネットワークＩ／Ｆ３２４は、電話回線網に接続されており、別のスマートフォン（携帯型電話機やＰＨＳ）などの通信端末装置や、固定型電話機との間における音声による通話を実現する。
【００５７】
ディスプレイ３２５は、たとえば、スマートフォンを携帯型電話機（あるいはＰＨＳ）として利用する場合における設定中のモード（マナーモードやドライブモードなど）や電波の受信状態を示す各種のマーク、アイコンあるいはツールボックスなどを表示する。ディスプレイ３２５は、たとえば、主に液晶ディスプレイや有機ＥＬディスプレイなどによって実現することができる。
【００５８】
操作部３２６は、文字、数値、各種指示などの入力のためのキーを備え、データ入力をおこなう。操作部３２６は、たとえば、タッチパネルやキーボードなどによって実現することができる。タッチパネルやキーボードなどによって実現される操作部３２６は、当該操作部３２６に対する入力操作に応じた信号を出力する。操作部３２６をタッチパネルによって実現する場合、当該タッチパネルは、ディスプレイ３２５の表示面側に積層される。タッチパネルは、指やペンなどの筆記部材が接触したことを検出した場合に、タッチパネルに対する筆記部材の接触位置に応じた電気信号を出力する。
【００５９】
マイク３２７は、アナログデータとして入力された話者の声をアナログ／デジタル変換し、デジタル形式の音声データを生成する。スピーカー３２８は、通話相手側から送信されたデジタル形式の音声データをデジタル／アナログ変換し、アナログ形式の音声データに基づいてスピーカコーンにおけるコイルに通電するなどして音声を出力する。
【００６０】
カメラ３２９は、操作部３２６の操作によって撮像対象を撮像し、画像データを生成する。生成された画像データは、ＲＡＭ３２３などに記憶される。ネットワークＩ／Ｆ３２４は、インターネットなどのネットワーク１５０に接続され、当該ネットワーク１５０と利用者の端末装置１２０を実現するスマートフォンの内部とのインターフェイスをつかさどる。
【００６１】
（カード利用促進装置１３０のハードウエア構成）
つぎに、この発明にかかる実施の形態のカード利用促進システム１００における、カード利用促進装置１３０を実現するコンピュータ装置のハードウエア構成について説明する。図４は、この発明にかかる実施の形態のカード利用促進システム１００における、カード利用促進装置１３０を実現するコンピュータ装置のハードウエア構成を示すブロック図である。
【００６２】
図４において、この発明にかかる実施の形態のカード利用促進システム１００における、カード利用促進装置１３０を実現するコンピュータ装置は、ＣＰＵ４０１と、ＲＯＭ４０２と、ＲＡＭ４０３と、ＨＤＤ４０４と、ＨＤ４０５と、ネットワークＩ／Ｆ４０６と、を備えている。また、この発明にかかる実施の形態のカード利用促進システム１００における、カード利用促進装置１３０を実現するコンピュータ装置を実現するコンピュータ装置が備える各部４０１〜４０６は、バス４００によってそれぞれ接続されている。
【００６３】
ＣＰＵ４０１は、カード利用促進装置１３０を実現するコンピュータ装置全体の制御をつかさどる。ＲＯＭ４０２は、ブートプログラムなどのプログラムを記憶している。ＲＡＭ４０３は、ＣＰＵ４０１のワークエリアとして使用される。ＨＤＤ４０４は、ＣＰＵ４０１の制御にしたがってＨＤ４０５に対するデータのリード／ライトを制御する。ＨＤ４０５は、ＨＤＤ４０４の制御で書き込まれたデータを記憶する。
【００６４】
ネットワークＩ／Ｆ４０６は、インターネットなどのネットワーク１５０に接続され、当該ネットワーク１５０を介して、店舗の端末装置１１０や利用者の端末装置１２０などの外部装置に接続される。そして、ネットワークＩ／Ｆ４０６は、ネットワーク１５０とカード利用促進装置１３０を実現するコンピュータ装置の内部とのインターフェイスをつかさどり、カード利用促進装置１３０を実現するコンピュータ装置と外部装置との間におけるデータの入出力を制御する。
【００６５】
（カード利用促進装置１３０が備えるデータベースの一例）
つぎに、カード利用促進装置１３０が備えるデータベースについて説明する。上記のように、カード利用促進装置１３０は、グループデータベース、利用者データベースなどの各種のデータベースを備えている。グループデータベースや利用者データベースなどの各種のデータベースは、たとえば、カード利用促進装置１３０を実現するコンピュータ装置が備えるＨＤ４０５に設けることができる。
【００６６】
（グループデータベースの一例）
図５は、この発明にかかる実施の形態のカード利用促進装置１３０が備えるグループデータベースの一例を示す説明図である。図５において、グループデータベース５００は、グループの識別情報とカード情報とを関連付けて記憶する。
【００６７】
グループは、指定期間内におこなわれたカード決済にかかるポイント数を競い合うことを目的として、カードの利用促進のための動機などに基づく分類（分類の識別情報）ごとに、複数設定されている。分類は、たとえば、カード利用促進システムの運用者によって設定することができる。グループの識別情報は、グループごとに固有の情報であって、たとえば、カード利用促進システム１００の運用者によって設定される。各グループは、各利用者が、当該利用者自身がおこなったカード決済にかかるポイントの加算対象とするグループ（加算対象グループ）とされる。
【００６８】
指定期間は、カード決済にかかるポイント数を合算する期間であって、たとえば、カード利用促進システム１００の運用者によって設定することができる。具体的には、指定期間は、たとえば、「２０１２年１２月１日〜２０１２年１２月５日」などのように、日付を単位として設定することができる。また、具体的には、指定期間は、たとえば、「２０１２年７月１９日１８：００〜２２：００」などのように、日付および時間を単位として設定されるものであってもよい。
【００６９】
カード利用促進システム１００においては、運用上、「カード決済をおこなうことによって発行されたポイントを利用者が指定したグループのポイントに合算し、合算したポイントが同じ分類のグループの中で最多となるグループを指定した利用者に特典を提供する」キャンペーンの存在を通知する。
【００７０】
キャンペーンの存在は、たとえば、あらかじめ電子メールアドレスを登録した利用者に対しては、当該電子メールアドレスが設定された利用者の端末装置１２０にキャンペーンに関する情報を送信することによって通知することができる。また、キャンペーンの存在は、たとえば、クレジットカードの利用明細の送付先となる住所に宛てて、キャンペーンを通知する案内状を送付することによって通知してもよい。
【００７１】
利用者への特典の提供は、たとえば、指定期間内におこなったカード決済にかかる決済金額から所定金額をキャッシュバックすることによって実現することができる。また、利用者への特典の提供は、たとえば、指定期間内におこなったカード決済にかかる決済金額に応じて発行するポイントを所定の割合で増加させることによって実現することができる。
【００７２】
また、利用者への特典の提供は、たとえば、キャンペーンに参加した利用者に対して、カード決済にかかる決済金額とは別に、所定数のポイントを付与することによって実現することができる。また、利用者への特典の提供は、たとえば、カード利用促進システム１００の運用者などからキャンペーンに参加した利用者に対して、所定の物品を提供することによって実現してもよい。
【００７３】
カード利用促進システム１００においては、運用上、キャンペーンに参加する利用者から、ポイントを合算するグループの指定を受け付ける。具体的には、たとえば、利用者の端末装置１２０から、グループ識別情報とカード情報とを含む参加表明情報を受信することによって、利用者ごとに、グループの指定を受け付けることができる。参加表明情報は、たとえば、キャンペーンへの参加を希望する利用者に対して、当該利用者の端末装置１２０を用いてカード利用促進システム１００の運営者が開設するウェブサイトにおける所定のウェブページにアクセスさせ、表示画面にしたがって必要な入力操作をおこなわせることによって、当該利用者の端末装置１２０から受け付けることができる。
【００７４】
カード利用促進装置１３０は、利用者の端末装置１２０からグループ識別情報とカード情報とを含む参加表明情報を受信するごとに、受信した参加表明情報に基づいて、該当するグループの識別情報に、受信した参加表明情報に含まれるカード情報を関連付けて記憶する。カード利用促進装置１３０は、既に受け付けた参加表明情報によって特定されるグループと同一分類の別のグループを指定する参加表明情報をあらたに受け付けた場合、該当するカード識別情報を、既に受け付けた参加表明情報によって特定されるグループに代えて、あらたに受け付けた別のグループの識別情報に関連付けて記憶するようにしてもよい。
【００７５】
この場合、利用者は、指定期間の途中でポイントの加算対象とするグループ（加算対象グループ）を変更することができるので、利用者の自由度を高めることができる。カード利用促進システム１００の運用上、指定期間の途中でポイントの加算対象とするグループを変更した場合、変更する前のカード決済にかかるポイントは変更前のグループの識別情報に関連付け、変更後のカード決済にかかるポイントは変更後のグループの識別情報に関連付けるようにしてもよい。
【００７６】
グループデータベース５００は、ポイントの加算対象となるカード決済をおこなう場所を特定する情報（特定の場所に関する情報）を記憶していてもよい。この場合、グループデータベース５００は、指定期間ごとに、場所を特定する情報を関連付けて記憶する。場所を特定する情報は、たとえば、「○×駅ビル」、「△△スタジアム」などのように、特定の建物や施設を特定する情報によって実現することができる。また、場所を特定する情報は、たとえば、「東京都港区海岸１丁目」、「東京都品川区東五反田１丁目および西五反田１丁目」などのように、特定の地域を特定する情報によって実現することができる。カード決済をおこなう場所を特定することにより、特定された場所（特定の場所）におけるカードの利用を促進することができる。
【００７７】
グループデータベース５００は、グループの識別情報ごとに、当該グループの識別情報によって識別されるグループを指定した利用者が指定期間内におこなったカード決済にかかるポイントを関連付けて記憶する。カード利用促進装置１３０は、各グループの識別情報によって識別されるグループを指定した利用者が、指定期間内にカード決済をおこなうごとに、該当するグループの識別情報に関連付けるポイント数を更新する。
【００７８】
グループデータベース５００が記憶するポイントは、当該ポイントを利用して特典を得ることができるものではない。すなわち、グループデータベース５００は、グループごとのポイントの多少を判断するためにポイントの数のみを記憶するものであればよい。カード利用促進システム１００においては、グループデータベース５００が記憶するポイントを、特典を得る際に実際に利用することができるポイントとしてもよい。
【００７９】
（利用者データベースの一例）
図６は、この発明にかかる実施の形態のカード利用促進装置１３０が備える利用者データベースの一例を示す説明図である。図６において、利用者データベース６００は、たとえば、カード利用促進装置１３０を実現するコンピュータ装置が備えるＨＤ４０５に設けることができる。
【００８０】
利用者データベース６００は、クレジットカードなどのカード番号によって実現されるカード情報と、当該カード情報によって識別される利用者の端末装置１２０に設定された電子メールアドレスと、を関連付けて記憶する。電子メールアドレスは、パーソナルコンピュータなど位置が固定されたコンピュータ装置に設定された電子メールアドレスおよびスマートフォンなどのように可搬性のコンピュータ装置に設定された電子メールアドレスのように、１つのカード情報に対して複数関連付けられていてもよい。
【００８１】
また、利用者データベース６００は、電子メールアドレス以外の利用者に関する情報（図６においては「利用者情報」と記載）を、カード情報に関連付けて記憶している。利用者に関する情報は、カードの所有者である利用者およびクレジットカードに関する各種の情報であって、たとえば、利用者の氏名、住所・連絡先（請求書の送付先）などを含む。また、利用者に関する情報は、たとえば、クレジットカードの有効期限、電話番号、性別など、を含んでいてもよい。また、利用者に関する情報は、たとえば、クレジットカードの顧客の年収や、所定期間（前回の締め日の翌日から次回の締め日までの期間など）における利用限度額など、クレジットカードの所有者である利用者の支払い能力に関する情報を含んでいてもよい。
【００８２】
また、利用者に関する情報は、たとえば、支払い方法、支払いに利用する金融機関名、支店名、預金種目や口座番号など、支払いに関する情報を含んでいてもよい。具体的には、たとえば、リボルビング払いを設定している利用者に関しては、リボルビング払いによる１回あたりの支払い額を、支払いに関する情報として記憶するようにしてもよい。
【００８３】
また、利用者に関する情報は、利用者が加算対象グループとして指定したグループの識別情報、当該グループへのポイントの加算をおこなう期間、当該期間中におこなったカード決済にかかるポイント数などに関する情報を含んでいる。利用者が加算対象グループとして指定したグループへのポイントの加算をおこなう期間は、当該加算対象グループを含む分類に関連付けられた指定期間と等しい。
【００８４】
カード利用促進システム１００においては、運用上、指定期間が重複しないグループであれば、加算対象グループとして複数指定することができる。また、カード利用促進システム１００においては、運用上、ポイントの加算対象となるカード決済をおこなう場所（特定の場所）が異なる場合は、同時期に複数のグループを加算対象グループとして指定することができる。
【００８５】
利用者に関する情報は、たとえば、クレジットカードなどのカードの発行受付時（申し込み時）など、カードが発行される前に利用者から取得し、カードの発行元によって利用者データベース６００に登録される。また、利用者に関する情報は、たとえば、子供が生まれた場合や引っ越しをした場合など、顧客から変更があった旨の申請を受け付けた場合に適宜更新されるものであってもよい。
【００８６】
利用者データベース６００は、さらに、カード情報ごとに、当該カード情報によって識別されるカードを用いておこなったカード決済にかかるポイントを関連付けて記憶する。利用者データベース６００は、当該ポイントを利用して特典を得ることができるポイントを記憶する。グループデータベース５００がグループの識別情報ごとに記憶するポイントが同一分類にかかる複数のグループのうちの各グループのポイントの多少を判断するためだけに記憶されていることに対し、利用者データベース６００は、特典を得る際に実際に利用することができるポイントを記憶する。
【００８７】
カード利用促進システム１００においては、カード決済にかかるポイントを利用者データベース６００に記憶せずにグループデータベース５００においてのみ記憶し、当該ポイントを特典を得る際に実際に利用することができるポイントとしてもよい。この場合、カード決済にかかるポイントは、利用者のためではなく、該当するグループを加算対象グループとして指定したすべての利用者のために利用することができる。
【００８８】
カード利用促進装置１３０が決済処理機能を備えず、決済処理装置においてカード決済処理をおこなう場合、カード利用促進装置１３０は上記の利用者データベース６００に代えて、カード情報および当該カード情報によって識別される利用者の端末装置１２０に設定された電子メールアドレスのみを関連付けて記憶する利用者データベースを備えていてもよい。この場合、上記の利用者データベース６００が記憶する各種情報のうちカード決済処理に要する情報は、決済処理装置に設けられたデータベースにおいて記憶される。
【００８９】
また、カード利用促進装置１３０は、店舗の識別情報と当該店舗の識別情報によって識別される店舗の所在地に関する情報と、を関連付けて記憶する店舗データベースを備える。上記のように、カード決済処理の結果は店舗の識別情報を含むため、カード利用促進装置１３０は、店舗データベースを参照することにより、決済情報の送信元となる店舗の所在地を特定することができる。
【００９０】
（カード利用促進装置１３０の機能的構成）
つぎに、この発明にかかる実施の形態のカード利用促進装置１３０の機能的構成について説明する。図７は、この発明にかかる実施の形態のカード利用促進装置１３０の機能的構成を示すブロック図である。
【００９１】
図７に示すように、この発明にかかる実施の形態のカード利用促進装置１３０の各機能は、記憶部７０１と、取得部７０２と、対象グループ特定部７０３と、ポイント算出部７０４と、記憶制御部７０５と、決済場所判断部７０６と、グループ特定部７０７と、抽出部７０８と、通知情報生成部７０９と、送信部７１０と、順位特定部７１１と、によって実現される。この発明にかかる実施の形態のカード利用促進装置１３０が備える各部７０１〜７１１は、カード利用促進装置１３０を実現するコンピュータ装置が備える各部によって実現することができる。
【００９２】
記憶部７０１は、グループデータベース５００、利用者データベース６００、店舗データベースなどの各種のデータベースを備える。記憶部７０１は、各種のデータベースが記憶する情報を、書き替え可能、かつ、不揮発に記憶する。
【００９３】
取得部７０２は、指定期間内におこなわれたカード決済にかかる決済金額に関する情報および当該カード決済に用いたカードのカード情報を含む決済情報を取得する。取得部７０２は、たとえば、店舗の端末装置１１０から送信された決済情報を受信することによって、決済情報を取得することができる。
【００９４】
対象グループ特定部７０３は、グループデータベースを参照して、取得部７０２が取得した決済情報に含まれるカード情報に一致するカード情報に関連付けられたグループの識別情報を特定する。対象グループ特定部７０３は、すなわち、カード決済に用いられたカードのカード情報に関連付けられたグループの識別情報を特定する。
【００９５】
ポイント算出部７０４は、取得部７０２が取得した決済情報に含まれる決済金額に基づいて、カード決済をおこなうことによるポイントを算出する。ポイント算出部７０４は、決済金額が高額であるほど高くなるようにポイントを算出する。ポイント算出部７０４は、たとえば、クレジットカード会社やカード決済をおこなう店舗などにおいてポイント増加キャンペーンをおこなっている場合は、当該キャンペーンの規定にしたがってポイントを算出してもよい。
【００９６】
記憶制御部７０５は、取得部７０２が取得した決済情報に含まれる決済金額に応じて算出されるポイントを、対象グループ特定部７０３が特定したグループの識別情報に関連付けて記憶部７０１に記憶する。すなわち、記憶制御部７０５は、ポイント算出部７０４が算出したポイントを、対象グループ特定部７０３が特定したグループの識別情報に関連付けて記憶する。
【００９７】
決済場所判断部７０６は、取得部７０２が取得した決済情報が、特定の場所においておこなわれたカード決済にかかる決済情報であるか否かを判断する。決済場所判断部７０６は、たとえば、取得部７０２が取得した決済情報に含まれる店舗の識別情報（店舗番号など）に基づいて、店舗データベースを参照することによって店舗の所在地を特定する。そして、グループデータベース５００を参照して、特定した店舗の所在地が特定の場所に該当するか否かを判断することによって、特定の場所においておこなわれたカード決済にかかる決済情報であるか否かを判断することができる。
【００９８】
上記の記憶制御部７０５は、決済場所判断部７０６が特定の場所においておこなわれたカード決済にかかる決済情報であると判断した場合に、該当するポイントを記憶する。グループデータベース５００において、該当する分類に、カード決済をおこなう場所を特定する情報（特定の場所に関する情報）が関連付けられていない場合（カード決済をおこなう場所の指定がない場合）、記憶制御部７０５は、カード決済がおこなわれた場所（決済場所、カード決済をおこなった店舗）にかかわらず、ポイント算出部７０４が算出したポイントを、対象グループ特定部７０３が特定したグループの識別情報に関連付けて記憶する。
【００９９】
グループ特定部７０７は、指定期間が経過した場合、複数のグループのうち記憶制御部７０５が関連付けたポイントの合計がもっとも多いグループの識別情報を特定する。この実施の形態において、グループ特定部７０７は、グループデータベース５００を参照して、指定期間が経過した分類にかかるグループのうち、記憶制御部７０５が関連付けたポイントの合計がもっとも多いグループの識別情報を特定する。
【０１００】
抽出部７０８は、グループデータベースを参照して、グループ特定部７０７が特定したグループの識別情報に関連付けられたカード情報を抽出する。通知情報生成部７０９は、通知情報を生成する。通知情報生成部７０９は、たとえば、指定期間が経過した場合、グループ特定部７０７が特定したグループの識別情報に関連付けられたカード情報によって識別される利用者の端末装置１２０に対して特典の提供を通知する通知情報を生成する。
【０１０１】
送信部７１０は、指定期間が経過した場合、グループ特定部７０７が特定したグループの識別情報に関連付けられたカード情報によって識別される利用者の端末装置に対して特典の提供を通知する通知情報、すなわち、通知情報生成部７０９が生成した通知情報を送信する。送信部７１０は、利用者データベース６００を参照して、抽出部７０８が抽出したカード情報に関連付けられた電子メールアドレスが設定された利用者の端末装置１２０に対して、通知情報を送信する。
【０１０２】
順位特定部７１１は、指定期間が経過する前の任意の時点において、グループの識別情報に記憶部７０１が関連付けたポイントの合計に基づいて、複数のグループにおける各グループの順位を特定する。順位特定部７１１は、たとえば、上記の取得部７０２が決済情報を取得するごと、すなわち、ポイントの加算対象とするグループを指定した利用者によるカード決済がおこなわれるごとに、複数のグループにおける各グループの順位を特定する。
【０１０３】
上記の通知情報生成部７０９は、グループデータベース５００と利用者データベース６００とを参照して、グループの識別情報に関連付けられたカード情報によって識別される利用者の端末装置１２０に対して、順位特定部７１１が特定した各グループの順位を通知する通知情報を生成する。そして、上記の送信部７１０は、通知情報生成部７０９が生成した、順位特定部７１１が特定した各グループの順位を通知する通知情報を送信する。これにより、ポイントの加算対象とするグループを指定した利用者に対して、指定期間が経過する前に、当該利用者自身がポイントの加算対象として指定したグループの順位を案内することができる。
【０１０４】
各グループの順位を通知する通知情報は、たとえば、同一分類にかかる複数のグループすべての順位を案内するものであってもよく、また、当該情報の送信先となる端末装置１２０の利用者がポイントの加算対象として指定したグループの順位のみを案内するものであってもよい。また、各グループの順位を通知する通知情報は、たとえば、同一分類にかかる複数のグループのうち、関連付けられたポイント数がもっとも多いグループのポイントに対する、各グループの順位を通知する通知情報の送信先となる端末装置１２０の利用者がポイントの加算対象として指定したグループのポイントの差分を案内するものであってもよい。
【０１０５】
（カード利用促進装置１３０の処理手順）
つぎに、この発明にかかる実施の形態のカード利用促進装置１３０の処理手順について説明する。図８、図９、図１０および図１１は、この発明にかかる実施の形態のカード利用促進装置１３０の処理手順を示すフローチャートである。
【０１０６】
図８のフローチャートにおいて、まず、利用者の端末装置１２０から送信された参加表明情報を受信するまで待機する（ステップＳ８０１：Ｎｏ）。ステップＳ８０１において、利用者の端末装置１２０から送信された参加表明情報を受信した場合（ステップＳ８０１：Ｙｅｓ）、受信した参加表明情報に基づいて、ステップＳ８０１：Ｙｅｓにおいて受信した参加表明情報の送信元となる端末装置１２０の利用者がポイントの加算対象として指定したグループを特定する（ステップＳ８０２）。
【０１０７】
つぎに、ステップＳ８０１：Ｙｅｓにおいて受信した参加表明情報から、当該参加表明情報に含まれるカード情報を抽出する（ステップＳ８０３）。その後、ステップＳ８０３において抽出したカード情報を、ステップＳ８０２において特定したグループの識別情報に関連付けて記憶することにより、グループデータベース５００を更新して（ステップＳ８０４）、一連の処理を終了する。
【０１０８】
図９のフローチャートにおいて、まず、店舗の端末装置１１０から送信された決済情報を受信するまで待機する（ステップＳ９０１：Ｎｏ）。ステップＳ９０１において、店舗の端末装置１１０から送信された決済情報を受信した場合（ステップＳ９０１：Ｙｅｓ）、受信した決済情報に含まれる決済金額に基づいて、当該決済金額に応じたポイントを算出する（ステップＳ９０２）。
【０１０９】
つぎに、ステップＳ９０１において受信した決済情報に含まれるカード情報を抽出し（ステップＳ９０３）、抽出したカード情報に基づいて該当する加算対象グループがあるか否かを判断する（ステップＳ９０４）。ステップＳ９０４においては、たとえば、グループデータベース５００を参照して、ステップＳ９０３において抽出したカード情報に一致するカード情報があるか否かを判断することによって、該当する加算対象グループがあるか否かを判断することができる。
【０１１０】
ステップＳ９０４において、該当する加算対象グループがある場合（ステップＳ９０４：Ｙｅｓ）、グループデータベース５００を参照して、ステップＳ９０１において決済情報を受信した日時が、加算対象グループに関連付けられた指定期間内であるか否かを判断する（ステップＳ９０５）。ステップＳ９０５において、指定期間内であると判断した場合（ステップＳ９０５：Ｙｅｓ）、グループデータベース５００および利用者データベース６００を更新して（ステップＳ９０６）、一連の処理を終了する。
【０１１１】
ステップＳ９０６においては、ステップＳ９０２において算出したポイントを、グループデータベース５００におけるステップＳ９０４：Ｙｅｓにおいて判断した加算対象グループのポイントに加算することによりグループデータベース５００を更新する。また、ステップＳ９０６においては、ステップＳ９０２において算出したポイントを、利用者データベース６００におけるステップＳ９０３において抽出したカード情報に関連付けて記憶することによって利用者データベース６００を更新する。
【０１１２】
上記のように、この実施の形態においては、グループデータベース５００が記憶するポイントは、グループごとのポイントの多少を判断するためにのみを記憶されており、当該ポイントを利用して特典を得ることができるものではない。このため、ステップＳ９０６においては、グループデータベース５００および利用者データベース６００を更新する。
【０１１３】
上記のように、カード利用促進システム１００においては、グループデータベース５００が記憶するポイントを、特典を得る際に実際に利用することができるポイントとしてもよい。この場合、ステップＳ９０６においては、グループデータベース５００のみを更新し、利用者データベース６００を更新しない。すなわち、カード決済によって発行されたポイントは、加算対象グループのポイントとされ、カード決済をおこなった利用者のポイントとはならない。
【０１１４】
ステップＳ９０４において該当する加算対象グループがない場合（ステップＳ９０４：Ｎｏ）、あるいは、ステップＳ９０５において指定期間内ではないと判断した場合（ステップＳ９０５：Ｎｏ）、利用者データベース６００を更新して（ステップＳ９０７）、一連の処理を終了する。ステップＳ９０７においては、ステップＳ９０２において算出したポイントを、ステップＳ９０１：Ｙｅｓにおいて受信した決済情報に含まれるカード情報によって識別されるカードの利用者のポイントに加算することによって、利用者データベース６００を更新する。
【０１１５】
ステップＳ９０７においては、たとえば、ステップＳ９０２において算出したポイントを、ステップＳ９０１：Ｙｅｓにおいて受信した決済情報に含まれるカード情報によって識別されるカードの利用者のポイントとして、関連付けて利用者データベース６００において当該カード情報に関連付けて記憶する。ステップＳ９０７においては、ステップＳ９０２において算出したポイントを、利用者データベース６００におけるステップＳ９０３において抽出したカード情報に関連付けて記憶することによって利用者データベース６００を更新する。
【０１１６】
図１０のフローチャートにおいて、まず、上記の図９のステップＳ９０６の処理によりグループデータベース５００が更新されるまで待機する（ステップＳ１００１：Ｎｏ）。ステップＳ１００１において、グループデータベース５００が更新された場合（ステップＳ１００１：Ｙｅｓ）、関連付けられているポイントが更新されたグループを含む分類にかかる、複数のグループにおける各グループの順位を特定する（ステップＳ１００２）。
【０１１７】
つぎに、ステップＳ１００２において特定された各グループの順位に基づいて、当該順位を通知する通知情報を生成する（ステップＳ１００３）。ステップＳ１００３においては、たとえば、該当する分類、当該分類に含まれるグループ数、および、通知情報の送信先となる端末装置１２０の利用者が加算対象グループとして指定したグループの順位に関する情報を含む通知情報を生成する。ステップＳ１００３においては、さらに、たとえば、各グループの順位を通知する通知情報の送信先となる端末装置１２０の利用者がポイントの加算対象として指定したグループのポイントの差分に関する情報を含む通知情報を生成してもよい。
【０１１８】
ステップＳ１００３においては、関連付けられているポイントが更新されたグループを含む分類にかかるすべてのグループの識別情報にそれぞれ関連付けられているカード情報に基づいて、利用者データベース６００を参照して当該カード情報に関連付けられている電子メールアドレスを抽出し、抽出した電子メールアドレスをそれぞれ送信先とする通知情報を利用者の端末装置１２０ごとに生成する。これにより、同一分類にかかるグループを加算対象グループとして指定した他の利用者の電子メールアドレスを通知することなく、対象とする利用者の端末装置１２０のみに通知情報を生成することができる。
【０１１９】
その後、ステップＳ１００３において生成した通知情報を、当該通知情報のそれぞれにおいて設定された電子メールアドレスを送信先として送信して（ステップＳ１００４）、一連の処理を終了する。これにより、ステップＳ１００４において送信した通知情報を受信した利用者に対して、指定期間が経過する前に、当該利用者自身がポイントの加算対象として指定したグループの順位を案内することができる。
【０１２０】
図１１のフローチャートにおいて、まず、グループデータベース５００における分類ごとに、指定期間が経過するまで待機する（ステップＳ１１０１：Ｎｏ）。ステップＳ１１０１において、指定期間が経過した分類がある場合（ステップＳ１１０１：Ｙｅｓ）、グループデータベース５００を参照して、当該分類にかかるグループのポイント（グループの識別情報に関連付けられたポイント）を取得する（ステップＳ１１０２）。
【０１２１】
つぎに、ステップＳ１１０２において取得したポイントに基づいて、指定期間が経過した同一分類にかかるグループのうち、グループの識別情報に関連付けられたポイントがもっとも多いグループ（最多ポイントグループ）を特定する（ステップＳ１１０３）。そして、グループデータベース５００を参照して、ステップＳ１１０３において特定したグループの識別情報に関連付けられているカード情報に基づいて、最多ポイントグループを加算対象グループとして指定した利用者を特定する（ステップＳ１１０４）。
【０１２２】
つぎに、利用者データベース６００を参照して、ステップＳ１１０４において特定した利用者の端末装置１２０に設定された電子メールアドレスを取得する（ステップＳ１１０５）。そして、ステップＳ１１０５において取得した電子メールアドレスを送信先とする、特典の提供を通知する通知情報を生成して（ステップＳ１１０６）、生成した通知情報を該当する利用者の端末装置１２０に対して送信する（ステップＳ１１０７）。
【０１２３】
その後、特典の実効が完了するまで待機して（ステップＳ１１０８：Ｎｏ）、ステップＳ１１０８において特典の実効が完了した場合（ステップＳ１１０８：Ｙｅｓ）、ステップＳ１１０７において通知情報の送信先とされた利用者の端末装置１２０に対して、特典の実効が完了されたことを通知する完了通知を送信して（ステップＳ１１０９）、一連の処理を終了する。
【０１２４】
この発明にかかる実施の形態のカード利用促進装置１３０を備えたカード利用促進システム１００は、たとえば、野球の試合を観戦する球場において利用することができる。具体的には、たとえば、野球の試合を観戦する球場において、一塁側および三塁側の各チームに応じて２つのグループを設定し、設定した２つのグループのうちいずれのグループを加算対象グループとするかを試合当日の球場内において確認する。利用者は、自身のスマートフォンなどを用いて所定のウェブページにアクセスして参加表明情報を送信する（図１２（ａ）を参照）。
【０１２５】
その後、野球の試合を観戦中に、利用者が、ジュースやビールなどの飲料や、アイスや弁当などの食べ物、応援グッズなどの代金をカード決済によっておこなうと、当該カード決済にかかるポイントが、当該利用者が加算対象グループとして指定したグループのポイントに加算される。そして、野球の試合が終了すると、カード利用促進装置１３０から、関連付けられたポイントがもっとも多いグループを加算対象グループとして指定した利用者の端末装置１２０に対して、得点の提供を通知する通知情報が送信される（図１２（ｂ）を参照）。
【０１２６】
これにより、野球の試合を観戦した利用者は、加算対象グループに関連付けられたポイントが、他のグループのポイントよりも多くなることを期待しながら野球の試合を観戦することができるので、野球の試合観戦の時間を、より楽しく過ごすことができる。関連付けられたポイントがもっとも多いグループは、自身がおこなったカード決済の結果が反映されて決定されるため、野球の試合を観戦しながらカード決済による買い物を同時に楽しむことができる。
【０１２７】
（表示画面例）
図１２は、利用者の端末装置１２０における表示画面例を示す説明図である。図１２（ａ）において、利用者の端末装置１２０は、表示画面１２１０において、参加表明情報を送信するための情報の入力を受け付ける各種の情報を表示する。
【０１２８】
具体的には、たとえば、上記のように、野球の試合を観戦する球場においてカード利用促進システム１００を利用する場合、表示画面１２１０は、参加するグループを特定させる情報（野球チーム名など）を表示する。表示画面１２１０は、利用者の端末装置１２０において表示画面１２１０を表示させたものの、キャンペーンに参加しない利用者に対して、「参加しない」意思表示をさせる情報を表示してもよい。
【０１２９】
図１２（ｂ）において、利用者の端末装置１２０は、表示画面１２２０において、各グループの順位を通知する情報を表示する。具体的には、たとえば、上記のように、野球の試合を観戦する球場においてカード利用促進システム１００を利用する場合、表示画面１２２０は、各グループへの参加人数や、グループごとのカードを利用した決済金額などに関する情報を表示する。
【０１３０】
利用者の端末装置１２０は、指定期間が経過した野球の試合終了時に限らず、当該野球の試合時間内に表示画面１２２０を表示してもよい。これにより、利用者は、自身が参加したグループの順位やポイント数などの状況を、随時確認することができる。また、このように、グループの順位やポイント数などの状況を、随時利用者に通知することにより、カード決済をおこなう動機付けをおこなうことができ、カードを利用することによって発行されるポイントを利用したカードの利用促進を図ることができる。
【０１３１】
この発明にかかる実施の形態のカード利用促進装置１３０を備えたカード利用促進システム１００は、指定期間が経過する前に、同一分類にかかる各グループの順位を、該当する利用者の端末装置１２０を介して利用者に案内することにより、関連付けられたポイントがもっとも多いグループが決定される前に、自身が加算対象グループとして指定したグループのポイントが増えるように、カード決済による買い物を積極的におこなうことができる。これにより、関連付けられたポイントがもっとも多いグループの決定に、利用者の意思をより反映させやすくすることができるので、野球の試合を観戦するなどの時間を一層楽しませることができる。
【０１３２】
また、この発明にかかる実施の形態のカード利用促進装置１３０を備えたカード利用促進システム１００は、たとえば、新幹線に乗車する利用者を対象として利用することができる。具体的には、たとえば、新幹線において、車両ごとに複数のグループを設定し、設定した複数のグループのうち利用者が乗車する車両に対応するグループを加算対象グループとするかを、社内の電子広告などを用いて確認する。この場合、指定期間は、たとえば、「東京を出発した新幹線が大阪駅に到着するまで」などのように設定することができる。利用者は、自身のスマートフォンなどを用いて所定のウェブページにアクセスして参加表明情報を送信する。
【０１３３】
その後、新幹線に乗車中に、利用者が、コーヒーやビールなどの飲料や、菓子や弁当などの食べ物の代金をカード決済によっておこなうと、当該カード決済にかかるポイントが、当該利用者が加算対象グループとして指定したグループのポイントに加算される。そして、野球の試合が終了すると、カード利用促進装置１３０から、関連付けられたポイントがもっとも多いグループを加算対象グループとして指定した利用者の端末装置１２０に対して、得点の提供を通知する通知情報が送信される。
【０１３４】
これにより、野球の試合を観戦した利用者は、加算対象グループに関連付けられたポイントが、他のグループのポイントよりも多くなることを期待しながら乗車することができるので、乗車中の時間を、より楽しく過ごすことができる。関連付けられたポイントがもっとも多いグループは、自身がおこなったカード決済の結果が反映されて決定されるため、新幹線に乗車しながらカード決済による買い物を同時に楽しむことができる。
【０１３５】
また、この場合、指定期間は、たとえば、「東京を出発した新幹線が大阪駅に到着するまで」などのように設定することができる。このような指定期間を設定することにより、新幹線の運行が予定と異なり遅れを生じた場合にも、カード決済による買い物および当該買い物によるポイント競争の結果を楽しむことができる。
【０１３６】
また、この発明にかかる実施の形態のカード利用促進装置１３０を備えたカード利用促進システム１００は、たとえば、震災被災地の復興を目的として利用することができる。具体的には、たとえば、震災被災地の復興を目的として被災地の特産物を被災地以外の場所において期間限定で販売する震災復興イベントにおいて、「福島県支援」、「岩手県支援」などのように複数のグループを設定し、設定した複数のグループのうちいずれのグループを加算対象グループとするかを確認する。利用者は、震災復興イベントの当日までに、自身のスマートフォンやパーソナルコンピュータなどを用いて所定のウェブページにアクセスして参加表明情報を送信する。
【０１３７】
その後、震災復興イベント中に、利用者が、被災地の特産物などの代金をカード決済によっておこなうと、当該カード決済にかかるポイントが、当該利用者が加算対象グループとして指定したグループのポイントに加算される。そして、震災復興イベントが終了すると、カード利用促進装置１３０から、関連付けられたポイントがもっとも多いグループを加算対象グループとして指定した利用者の端末装置１２０に対して、得点の提供を通知する通知情報が送信される。
【０１３８】
これにより、震災復興イベントに参加した利用者は、加算対象グループに関連付けられたポイントが、他のグループのポイントよりも多くなることを期待しながら震災復興イベントを楽しむことができるので、震災復興イベントに参加している時間をより楽しく過ごすことができる。関連付けられたポイントがもっとも多いグループは、自身がおこなったカード決済の結果が反映されて決定されるため、震災復興イベントを楽しみながらカード決済による買い物を同時に楽しむことができる。
【０１３９】
この発明にかかる実施の形態のカード利用促進装置１３０を備えたカード利用促進システム１００においては、分類を「震災被災地復興」などとする場合、グループデータベース５００に加算されるポイントを、カード決済をおこなった利用者のためではなく、震災被災地の復興支援のために提供できるようにしてもよい。この場合、指定期間内におこなったカード決済にかかるポイントは、たとえば、カード会社が仲介することによって換金するなどして、利用者ではなく被災者に寄付するようにしてもよい。
【０１４０】
以上説明したように、この実施の形態のカード利用促進装置１３０は、グループデータベース５００を参照して、指定期間内におこなわれたカード決済にかかる決済情報に含まれるカード情報に一致するカード情報に関連付けられたグループの識別情報を特定し、特定したグループの識別情報に決済情報に含まれる決済金額に応じて算出されるポイントを関連付けて記憶する。そして、指定期間が経過した場合、複数のグループのうち関連付けられたポイントの合計がもっとも多いグループの識別情報を特定し、特定したグループの識別情報に関連付けられたカード情報を抽出するようにしたことを特徴としている。
【０１４１】
この発明にかかる実施の形態のカード利用促進装置１３０によれば、指定期間内におこなわれたカード決済の決済金額がもっとも多いグループを加算対象として指定した利用者を特定することができる。これにより、この発明にかかる実施の形態のカード利用促進装置１３０は、カード決済をおこなう利用者に対して、カードを利用することによって発行されるポイントに注目させ、ポイントを貯める行為自体を促すことができる。
【０１４２】
これにより、この発明にかかる実施の形態のカード利用促進装置１３０を備えたカード利用促進システム１００を用いて、特定された利用者に対して指定期間内にカードを利用したことに対する特典を提供するなどの運用をおこなうことにより、カードを利用することによって発行されるポイントを利用したカードの利用促進を図ることができる。
【０１４３】
この発明にかかる実施の形態のカード利用促進装置１３０を備えたカード利用促進システム１００によれば、各利用者がおこなったカード決済により発行されるポイントをグループ単位で合計し、合計されたポイント数の多少をグループ単位で競うことにより、個別の利用者を対象としてポイント数すなわちカード決済にかかる決済金額の多少を競う場合よりも、利用者が特典を受けられる可能性を高めることができる。これにより、この発明にかかる実施の形態のカード利用促進装置１３０を備えたカード利用促進システム１００によれば、特典を受けられる可能性の高さを根拠に、カード決済をおこなう動機付けをおこなうことができ、カードを利用することによって発行されるポイントを利用したカードの利用促進を図ることができる。
【０１４４】
また、この発明にかかる実施の形態のカード利用促進装置１３０を備えたカード利用促進システム１００によれば、特に、指定期間内におけるカードの利用を促進することができる。これにより、たとえば、タイムセールや露店などのように期間が限定されたイベントに際して、カードを利用することによって発行されるポイントを利用したカードの利用を促進することができる。
【０１４５】
また、この発明にかかる実施の形態のカード利用促進装置１３０は、グループデータベース５００がポイントの加算対象とするグループの識別情報と前記カード情報とを関連付けて記憶し、特定の場所においておこなわれたカード決済にかかる決済情報を取得した場合に、該当するポイントを記憶するようにしたことを特徴としている。
【０１４６】
この発明にかかる実施の形態のカード利用促進装置１３０によれば、指定期間内に特定の場所においておこなわれたカード決済の決済金額がもっとも多いグループを加算対象として指定した利用者を特定することができる。これにより、この発明にかかる実施の形態のカード利用促進装置１３０を備えたカード利用促進システム１００によれば、特定の場所においてカードを利用した利用者のうち、特定された利用者に対して、指定期間内にカードを利用したことに対する特典を提供するなどの運用をおこなうことにより、カードを利用することによって発行されるポイントを利用して、特定の場所におけるカードの利用促進を図ることができる。
【０１４７】
また、この発明にかかる実施の形態のカード利用促進装置１３０を備えたカード利用促進システム１００によれば、特に、特定の場所での指定期間内におけるカードの利用を促進することができる。これにより、この発明にかかる実施の形態のカード利用促進装置１３０を備えたカード利用促進システム１００を用いることにより、近年多く開催されている、震災被災地の復興を目的として被災地の特産物を被災地以外の場所において期間限定で販売する震災復興イベントなどにおいて、カードを利用することによって発行されるポイントを利用したカードの利用を促進し、被災地の復興支援に寄与することができる。
【０１４８】
また、この発明にかかる実施の形態のカード利用促進装置１３０は、指定期間が経過する前の任意の時点において同一分類にかかる各グループの順位を特定し、該当する利用者の端末装置１２０に対して、特定した各グループの順位を通知する通知情報を送信するようにしたことを特徴としている。
【０１４９】
この発明にかかる実施の形態のカード利用促進装置１３０によれば、指定期間が経過する前に、複数のグループにおける各グループの順位を通知することができる。これにより、この発明にかかる実施の形態のカード利用促進装置１３０を備えたカード利用促進システム１００によれば、指定期間が経過するまでにカード決済をおこなう動機付けをおこなうことができ、カードを利用することによって発行されるポイントを利用したカードの利用促進を図ることができる。
【０１５０】
また、この発明にかかる実施の形態のカード利用促進装置１３０は、指定期間が経過した場合、関連付けられたポイントがもっとも多いグループの識別情報に関連付けられたカード情報によって識別される利用者の端末装置１２０に対して、特典の提供を通知する通知情報を送信するようにしたことを特徴としている。
【０１５１】
この発明にかかる実施の形態のカード利用促進装置１３０によれば、指定期間が経過した場合に、指定期間内におこなわれたカード決済の決済金額がもっとも多いグループを加算対象として指定した利用者に、特典を受けられることを通知することができる。これにより、この発明にかかる実施の形態のカード利用促進装置１３０を備えたカード利用促進システム１００によれば、カードを利用したことにより特典が受けられることを利用者に認識させることができ、以降の継続したカードの利用促進を図ることができる。
【０１５２】
上述した実施の形態においては、ポイントの加算対象とするグループを、指定期間内におこなわれたカード決済にかかるポイント数を競い合う複数のグループの中から利用者に指定させるカード利用促進装置１３０について説明したが、これに限るものではない。指定期間内におこなわれたカード決済にかかるポイントの加算対象とするグループは、複数のグループの中から選択されたグループであってもよく、あるいは、あらかじめ一つのみが設定されていてもよい。
【０１５３】
ポイントの加算対象とするグループが一つのみ設定されている場合、カード利用促進装置１３０は、取得部７０２によって指定期間内におこなわれたカード決済にかかる決済情報を取得し、対象グループ特定部７０３によって、グループデータベース５００を参照して、取得した決済情報に含まれるカード情報に一致するカード情報に関連付けられたグループの識別情報を特定する。そして、記憶制御部７０５によって、取得部７０２が取得した決済情報に含まれる決済金額に応じて算出されるポイントを、対象グループ特定部７０３が特定したグループの識別情報に関連付けて記憶部７０１に記憶し、グループ特定部７０７によって指定期間が経過したグループの識別情報を特定する。その後、抽出部７０８によって、グループデータベース５００を参照して、グループ特定部７０７が特定したグループの識別情報に関連付けられたカード情報を抽出する。
【０１５４】
このようなカード利用促進装置１３０によれば、個別の利用者を対象としてポイント数すなわちカード決済にかかる決済金額の多少を競う場合よりも、利用者が特典を受けられる可能性を高めることができる。具体的には、たとえば、「特定の時刻に特定の駅を発車した電車が、別の特定の駅に到着するまで」を指定期間とし、当該指定期間に、該当する電車においてカードを利用した利用者を特定することができる。
【０１５５】
この場合、運用上、「特定の時刻に特定の駅を発車した電車が、別の特定の駅に到着するまでの間に、該当する電車内でカードを利用した利用者に特典を提供する」キャンペーンの存在を通知しておくことにより、カード決済をおこなう動機付けをおこなうことができ、カードを利用することによって発行されるポイントを利用したカードの利用促進を図ることができる。なお、この場合、「特定の時刻に特定の駅を発車した電車」を特定の場所として指定することができる。
【０１５６】
該当する電車内でカードを利用したか否かは、当該電車内におけるカード決済に用いる決済端末を店舗の端末装置１１０として、当該店舗の端末装置１１０を該当する電車で使用することを、所定のデータベース（図示を省略する）においてあらかじめ登録しておくことによって判断することができる。
【０１５７】
ポイントの加算対象とするグループが一つのみ設定されている場合、当該グループが達成する目標（カードの利用金額）を設定してもよい。これにより、指定期間に指定車両に乗車する利用者に対して、ポイントを競い合う他のグループのポイント数に代えて、目標を達成することを根拠に、カード決済をおこなう動機付けをおこなうことができ、カードを利用することによって発行されるポイントを利用したカードの利用促進を図ることができる。
【０１５８】
このような運用をおこなう場合、たとえば、東京駅から博多駅まで運行する新幹線の車内を特定の場所とし、該当する車両が東京駅を発車してから博多駅に到着するまでをして期間とすると、指定期間の間中、車内に居続けることが難しいことがある。このような場合、該当する車両に１区間でも乗車し、その間にカードを利用したすべての利用者を、特典を受けられる利用者としてもよい。
【０１５９】
これにより、特典を受けられる可能性の高さを根拠に、カード決済をおこなう動機付けをおこなうことができ、カードを利用することによって発行されるポイントを利用したカードの利用促進を図ることができる。また、これにより、指定期間の間中、車内に居続けることが難しいために、利用者がキャンペーンに参加しない、すなわちカードを利用しなくなることを回避することができる。そして、これによって、カード決済をおこなう動機付けをおこなうことができ、カードを利用することによって発行されるポイントを利用したカードの利用促進を図ることができる。
【０１６０】
また、このような場合、割り引きやキャッシュバックなどの特典は、指定期間における特定の場所において利用したカードの決済金額が多い利用者ほど、高い得点（割り引き、キャッシュバックなど）を受けられるような運用にしてもよい。これにより、指定期間のうち限られた時間のみキャンペーンに参加する利用者に対して、特典を受けられる可能性の高さを根拠に、カード決済をおこなう動機付けをおこなうことができ、カードを利用することによって発行されるポイントを利用したカードの利用促進を図ることができる。
【０１６１】
このように、この発明にかかる実施の形態のカード利用促進装置１３０を備えたカード利用促進システム１００によれば、特典を受けられる可能性の高さを根拠に、カード決済をおこなう動機付けをおこなうことができ、カードを利用することによって発行されるポイントを利用したカードの利用促進を図ることができる。
【０１６２】
（表示画面例）
図１３は、利用者の端末装置１２０における表示画面例を示す説明図である。図１３（ａ）において、利用者の端末装置１２０は、表示画面１３１０において、参加表明情報を送信するための情報の入力を受け付ける各種の情報を表示する。
【０１６３】
具体的には、たとえば、上記のように、「特定の時刻に特定の駅を発車した電車（図１３（ａ）においては新幹線の車両名「のぞみ７号」）が、別の特定の駅に到着するまでの間に、該当する電車内でカードを利用した利用者に特典を提供する」という運用にしたがってカード利用促進システム１００を利用する場合、利用者の端末装置１２０は、キャンペーンの対象を案内する情報（「のぞみ７号」などの車両名など）を含む表示画面１３１０を表示する。
【０１６４】
また、情報利用者の端末装置１２０は、案内したキャンペーンへの参加の意思表示をさせる「Ｙｅｓ」や、案内したキャンペーンに参加しない意思表示をさせる「Ｎｏ」などのキーを示す情報を含む表示画面１３１０を表示する。キャンペーンに参加する利用者は、「Ｙｅｓ」を指定する操作をおこなう。情報利用者の端末装置１２０において表示画面１３１０を表示させたものの、キャンペーンに参加しない利用者は、「Ｎｏ」を指定する操作をおこなう。
【０１６５】
図１３（ｂ）において、利用者の端末装置１２０は、表示画面１３２０において、利用者が参加したキャンペーンに関する現在の状況を案内する情報を表示する。具体的には、たとえば、上記のように、「特定の時刻に特定の駅を発車した電車（図１３（ａ）においては新幹線の車両名「のぞみ７号」）が、別の特定の駅に到着するまでの間に、該当する電車内でカードを利用した利用者に特典を提供する」というキャンペーンに際してカード利用促進システム１００を利用する場合、表示画面１３２０は、該当するグループに参加した利用者がおこなったカードを利用した決済金額などに関する情報を表示する。
【０１６６】
また、具体的には、たとえば、上記のように、「特定の時刻に特定の駅を発車した電車（図１３（ａ）においては新幹線の車両名「のぞみ７号」）が、別の特定の駅に到着するまでの間に、該当する電車内でカードを利用した利用者に特典を提供する」というキャンペーンに際してカード利用促進システム１００を利用する場合、利用者の端末装置１２０は、指定期間すなわち利用者が参加中のキャンペーンが終了するまでの残り時間に関する情報を含む表示画面１３２０を表示してもよい。
【０１６７】
さらに、具体的には、たとえば、上記のように、「特定の時刻に特定の駅を発車した電車（図１３（ａ）においては新幹線の車両名「のぞみ７号」）が、別の特定の駅に到着するまでの間に、該当する電車内でカードを利用した利用者に特典を提供する」というキャンペーンにおいて、グループが達成する目標（カードの利用金額）を設定している場合、利用者の端末装置１２０は、達成状況に関する情報を含む表示画面１３２０を表示してもよい。達成状況は、たとえば、グループが達成する目標（カードの利用金額）に対する、現在の状況をゲージ状のイメージによって案内することができる。
【０１６８】
この場合、利用者の端末装置１２０は、さらに、付与される特典（たとえば、割り引き額、還元するポイント数、キャッシュバック金額など）を増加させることを案内する情報（図１３（ｂ）における「２倍」、「３倍」、「５倍」などの情報）や、特典が増加される条件（図１３（ｂ）における「１５０万円」、「２００万円」、「５００万円」などの、目的を達成するための利用金額に関する情報）などを含む表示画面１３２０を表示してもよい。
【０１６９】
利用者の端末装置１２０は、指定期間の終了時に限らず、当該キャンペーンが終了する前に表示画面１３２０を表示してもよい。これにより、利用者は、自身が参加したグループの順位やポイント数などの状況を、随時確認することができる。また、このように、グループの順位やポイント数などの状況を、随時利用者に通知することにより、カード決済をおこなう動機付けをおこなうことができ、カードを利用することによって発行されるポイントを利用したカードの利用促進を図ることができる。
【０１７０】
なお、この実施の形態で説明したカード利用促進方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１７１】
以上のように、この発明にかかるカード利用促進装置、カード利用促進方法およびカード利用促進プログラムは、カード決済に際してポイントを発行するポイントシステムに用いるカード利用促進装置、カード利用促進方法およびカード利用促進プログラムに有用であり、特に、クレジットカードなどのカードの利用促進を支援するポイントシステムに用いるカード利用促進装置、カード利用促進方法およびカード利用促進プログラムに適している。
【符号の説明】
【０１７２】
１００  カード利用促進システム
１１０  店舗の端末装置
１２０  利用者の端末装置
１３０  カード利用促進装置
７０１  記憶部
７０２  取得部
７０３  対象グループ特定部
７０４  ポイント算出部
７０５  記憶制御部
７０６  決済場所判断部
７０７  グループ特定部
７０８  抽出部
７０９  通知情報生成部
７１０  送信部
７１１  順位特定部
【図１】
2014137649.tif 000003
【図２−１】
2014137649.tif 000004
【図２−２】
2014137649.tif 000005
【図３−１】
2014137649.tif 000006
【図３−２】
2014137649.tif 000007
【図４】
2014137649.tif 000008
【図５】
2014137649.tif 000009
【図６】
2014137649.tif 000010
【図７】
2014137649.tif 000011
【図８】
2014137649.tif 000012
【図９】
2014137649.tif 000013
【図１０】
2014137649.tif 000014
【図１１】
2014137649.tif 000015
【図１２】
2014137649.tif 000016
【図１３】
2014137649.tif 000017